(57)【要約】      （修正有）【課題】車両の走行に関する情報またはユーザの指示に応じて、車内の複数の装置において同一の情報を出力することができるようにする。【解決手段】車載装置と、１以上の車内装置とを備える車内情報システムを構成する車載装置であって、車両の走行に関する情報である走行情報、または、ユーザ指示を受け付ける受付部と、走行情報が、車両の走行に関する予め決められた条件である走行条件を満たす場合、または、受付部がユーザ指示を受け付けた場合に、１以上の車内装置のうちのいずれかにおいて出力されている情報と同一の情報を出力する出力部とを備える車載装置により、他の複数の装置と連携し、車両の走行に関する情報またはユーザの指示に応じて、他の装置において出力されている情報と同一の情報を出力することができる。【選択図】図１
2016078735.tif 000002
【特許請求の範囲】
【請求項１】
車載用の装置である車載装置と、情報を出力する装置である１以上の車内装置とを備える車内情報システムを構成する車載装置であって、
車両の走行に関する情報である走行情報、または、ユーザ指示を受け付ける受付部と、
前記走行情報が、車両の走行に関する予め決められた条件である走行条件を満たす場合、または、前記受付部がユーザ指示を受け付けた場合に、前記１以上の車内装置のうちのいずれかにおいて出力されている情報と同一の情報を出力する出力部とを備える車載装置。
【請求項２】
車両の走行に関する条件である走行条件が格納される走行条件格納部をさらに備え、
前記受付部は、
前記走行情報、および、前記ユーザ指示を受け付け、
前記出力部は、
前記走行情報が前記走行条件を満たし、かつ、前記受付部がユーザ指示を受け付けた場合に、前記車内装置において出力されている情報と同一の情報を出力する請求項１記載の車載装置。
【請求項３】
前記出力部は、
前記受付部がユーザ指示を受け付けた後、前記走行情報が前記走行条件を満たすまでは、前記車内装置において出力されている情報と同一の情報を出力せず、前記走行情報が前記走行条件を満たした場合に、前記車内装置において出力されている情報と同一の情報を出力する請求項２記載の車載装置。
【請求項４】
前記走行情報は、自車位置、移動速度、走行時間のうちのいずれか１以上に関する情報であり、
前記走行条件は、自車位置、移動速度、走行時間のうちのいずれか１以上に関する条件である請求項１から請求項３いずれか一項に記載の車載装置。
【請求項５】
前記出力部は、
前記走行情報に応じて決定された動作に対応する情報を出力する請求項１または請求項２記載の車載装置。
【請求項６】
車載装置が実行可能な動作を識別する情報である２以上の動作識別情報が格納される動作識別情報格納部をさらに備え、
前記出力部は、
前記２以上の動作識別情報を出力し、
前記受付部は、
前記２以上の動作識別情報のうちのいずれか１つの動作識別情報を選択する指示である選択指示を受け付け、
前記選択指示に対応する動作識別情報により識別される動作を実行する実行部と、
前記実行部による動作の実行結果である情報と同一の情報を出力する指示である出力指示を、前記車内装置に送信する送信部とをさらに備える請求項５記載の車載装置。
【請求項７】
前記車内情報システムは、
一の車載装置、および、１または２以上の車内装置を備え、
前記車載装置は、
１または２以上の車内装置を自動検出し、当該１または２以上の各車内装置と通信可能とする自動検出部をさらに備える請求項１から請求項６いずれか一項に記載の車載装置。
【請求項８】
前記自動検出部は、
１または２以上の車内装置の位置に関する情報であるＧＰＳ情報、過去に車載装置と通信を行った車内装置に関する情報であるペアリング情報、赤外線通信のうちのいずれか１以上を用いて、前記１または２以上の車内装置と通信可能とする請求項７記載の車載装置。
【請求項９】
１以上の車内装置および車載装置のうちのいずれか１つは、親機であり、他の装置は、子機であり、
前記親機において出力されている情報と同一の情報を、前記子機においても出力する車内情報システムを構成する請求項１から請求項８いずれか一項に記載の車載装置。
【請求項１０】
前記親機と前記子機は、動的に変更される車内情報システムを構成する請求項９記載の車載装置。
【請求項１１】
２以上の車内装置が同一の情報を出力している場合において、最初に操作を受け付けた一の車内装置が親機となり、他の車内装置および車載装置が子機となる車内情報システムを構成する請求項１０記載の車載装置。
【請求項１２】
車載用の装置である車載装置と、情報を出力する装置である１以上の車内装置とを備える車内情報システムを構成する車内装置であって、
出力する情報である出力情報と、当該出力情報を識別する情報である出力識別情報とが対応付いて格納される車内格納部と、
前記出力情報を出力する車内出力部と、
前記出力情報または前記出力識別情報を送信する指示である送信指示を受け付ける車内受付部と、
前記送信指示の受け付けに応じて、前記出力情報または前記出力識別情報を有するユーザ指示を前記車載装置に送信する車内送信部とを備える車内装置。
【請求項１３】
受付部と、出力部とを備える情報出力方法であって、
前記受付部が、
車両の走行に関する情報である走行情報、または、ユーザ指示を受け付ける受付ステップと、
前記出力部が、
前記走行情報が、車両の走行に関する予め決められた条件である走行条件を満たす場合、または、前記受付部がユーザ指示を受け付けた場合に、１以上の車内装置のうちのいずれかにおいて出力されている情報と同一の情報を出力する出力ステップとを備える情報出力方法。
【請求項１４】
出力する情報である出力情報と、当該出力情報を識別する情報である出力識別情報とが対応付いて格納される車内格納部と、
車内出力部と、車内受付部と、車内送信部とを用いて行われる情報出力方法であって、
前記車内出力部が、
前記出力情報を出力する車内出力ステップと、
前記車内受付部が、
前記出力情報または前記出力識別情報を送信する指示である送信指示を受け付ける車内受付ステップと、
前記車内送信部が、
前記送信指示の受け付けに応じて、前記出力情報または前記出力識別情報を有するユーザ指示を前記車載装置に送信する車内送信ステップとを備える情報出力方法。
【請求項１５】
コンピュータを、
車両の走行に関する情報である走行情報、または、ユーザ指示を受け付ける受付部、
前記走行情報が、車両の走行に関する予め決められた条件である走行条件を満たす場合、または、前記受付部がユーザ指示を受け付けた場合に、前記１以上の車内装置のうちのいずれかにおいて出力されている情報と同一の情報を出力する出力部として機能させるためのプログラム。
【請求項１６】
出力する情報である出力情報と、当該出力情報を識別する情報である出力識別情報とが対応付いて格納される車内格納部にアクセス可能なコンピュータを、
前記出力情報を出力する車内出力部、
前記出力情報または前記出力識別情報を送信する指示である送信指示を受け付ける車内受付部、
前記送信指示の受け付けに応じて、前記出力情報または前記出力識別情報を有するユーザ指示を前記車載装置に送信する車内送信部として機能させるためのプログラム。
【発明の詳細な説明】
【技術分野】
【０００１】
本発明は、車載用の装置である車載装置等に関するものである。
【背景技術】
【０００２】
従来、スマートフォンと連携し、例えば、スマートフォンの画面に表示されている内容と同様の内容を画面に表示する車載用の装置等が開発されている（非特許文献１参照）。
【先行技術文献】
【非特許文献】
【０００３】
【非特許文献１】“アプリユニット”、［online］、パイオニア株式会社、［２０１４年８月２０日検索］、インターネット［URL；http://pioneer.jp/carrozzeria/splink/appli_unit/］
【発明の概要】
【発明が解決しようとする課題】
【０００４】
従来の装置等では、車両の走行に関する情報またはユーザの指示に応じて、車内の複数の装置において同一の情報を出力することができなかった。
【課題を解決するための手段】
【０００５】
本第一の発明の車載装置は、車載用の装置である車載装置と、情報を出力する装置である１以上の車内装置とを備える車内情報システムを構成する車載装置であって、車両の走行に関する情報である走行情報、または、ユーザ指示を受け付ける受付部と、走行情報が、車両の走行に関する予め決められた条件である走行条件を満たす場合、または、受付部がユーザ指示を受け付けた場合に、１以上の車内装置のうちのいずれかにおいて出力されている情報と同一の情報を出力する出力部とを備える車載装置である。
【０００６】
このような構成により、車両の走行に関する情報またはユーザの指示に応じて、車内の複数の装置において同一の情報を出力することができる。
【０００７】
また、本第二の発明の車載装置は、第一の発明に対して、車両の走行に関する条件である走行条件が格納される走行条件格納部をさらに備え、受付部は、走行情報、および、ユーザ指示を受け付け、出力部は、走行情報が走行条件を満たし、かつ、受付部がユーザ指示を受け付けた場合に、車内装置において出力されている情報と同一の情報を出力する車載装置である。
【０００８】
このような構成により、車両の走行に関する情報およびユーザの指示に応じて、車内の複数の装置において同一の情報を出力することができる。
【０００９】
また、本第三の発明の車載装置は、第二の発明に対して、出力部は、受付部がユーザ指示を受け付けた後、走行情報が走行条件を満たすまでは、車内装置において出力されている情報と同一の情報を出力せず、走行情報が走行条件を満たした場合に、車内装置において出力されている情報と同一の情報を出力する車載装置である。
【００１０】
このような構成により、例えば、ユーザの指示があっても、出力されている情報をユーザが閲覧してもよい状態になるまで、車内の他の装置において出力されている情報と同一の情報を出力しないようにすることができる。
【００１１】
また、本第四の発明の車載装置は、第一から第三いずれか１つの発明に対して、走行情報は、自車位置、移動速度、走行時間のうちのいずれか１以上に関する情報であり、走行条件は、自車位置、移動速度、走行時間のうちのいずれか１以上に関する条件である車載装置である。
【００１２】
このような構成により、自車位置、移動速度、走行時間に応じて、車内の複数の装置において同一の情報を出力することができる。
【００１３】
また、本第五の発明の車載装置は、第一または第二の発明に対して、出力部は、走行情報に応じて決定された動作に対応する情報を出力する車載装置である。
【００１４】
このような構成により、車両の走行に関する情報に応じて、動作を決定することができる。
【００１５】
また、本第六の発明の車載装置は、第五の発明に対して、車載装置が実行可能な動作を識別する情報である２以上の動作識別情報が格納される動作識別情報格納部をさらに備え、出力部は、２以上の動作識別情報を出力し、受付部は、２以上の動作識別情報のうちのいずれか１つの動作識別情報を選択する指示である選択指示を受け付け、選択指示に対応する動作識別情報により識別される動作を実行する実行部と、実行部による動作の実行結果である情報と同一の情報を出力する指示である出力指示を、車内装置に送信する送信部とをさらに備える車載装置である。
【００１６】
このような構成により、動作に応じて出力する情報と同一の情報を、車内の他の装置において出力することができる。
【００１７】
また、本第七の発明の車載装置は、第一から第六いずれか１つの発明に対して、車内情報システムは、一の車載装置、および、１または２以上の車内装置を備え、車載装置は、１または２以上の車内装置を自動検出し、１または２以上の各車内装置と通信可能とする自動検出部をさらに備える車載装置である。
【００１８】
このような構成により、通信可能な１または２以上の他の装置を自動的に検出することができる。
【００１９】
また、本第八の発明の車載装置は、第七の発明に対して、自動検出部は、１または２以上の車内装置の位置に関する情報であるＧＰＳ情報、過去に車載装置と通信を行った車内装置に関する情報であるペアリング情報、赤外線通信のうちのいずれか１以上を用いて、１または２以上の車内装置と通信可能とする車載装置である。
【００２０】
このような構成により、ＧＰＳ情報、ペアリング情報、赤外線通信のうちのいずれか１以上を用いて、通信可能な１または２以上の他の装置を自動的に検出することができる。
【００２１】
また、本第九の発明の車載装置は、第一から第八いずれか１つの発明に対して、１以上の車内装置および車載装置のうちのいずれか１つは、親機であり、他の装置は、子機であり、親機において出力されている情報と同一の情報を、子機においても出力する車内情報システムを構成する車載装置である。
【００２２】
このような構成により、親機において出力されている情報と同一の情報を、子機においても出力することができる。
【００２３】
また、本第十の発明の車載装置は、第九の発明に対して、親機と子機は、動的に変更される車内情報システムを構成する車載装置である。
【００２４】
このような構成により、親機と子機を動的に変更することができる。
【００２５】
また、本第十一の発明の車載装置は、第十の発明に対して、２以上の車内装置が同一の情報を出力している場合において、最初に操作を受け付けた一の車内装置が親機となり、他の車内装置および車載装置が子機となる車内情報システムを構成する車載装置である。
【００２６】
このような構成により、同一の情報を出力している状態において、最初に操作された装置を親機とすることができる。
【発明の効果】
【００２７】
本発明による車載装置等によれば、車両の走行に関する情報またはユーザの指示に応じて、車内の複数の装置において同一の情報を出力することができる。
【図面の簡単な説明】
【００２８】
【図１】実施の形態１における車内情報システム１の概念図
【図２】同車載装置１１および車内装置１２のブロック図
【図３】同車載装置１１の全体動作について説明するフローチャート
【図４】同出力の判断処理について説明するフローチャート
【図５】同車内装置１２の全体動作について説明するフローチャート
【図６】同走行条件の例を示す図
【図７】同Ｗｅｂページの出力例を示す図
【図８】同Ｗｅｂページの出力例を示す図
【図９】同Ｗｅｂページの出力例を示す図
【図１０】同写真の出力例を示す図
【図１１】同写真の出力例を示す図
【図１２】同写真の出力例を示す図
【図１３】同動作識別情報の例を示す図
【図１４】同動作識別情報の出力例を示す図
【図１５】同クイズのジャンルの選択画面の出力例を示す図
【図１６】同クイズのジャンルの選択画面の出力例を示す図
【図１７】同親機と子機が自動的に変更される様子を示す図
【図１８】同親機と子機が自動的に変更される様子を示す図
【図１９】同親機と子機が自動的に変更される様子を示す図
【図２０】同親機と子機が自動的に変更される様子を示す図
【図２１】同コンピュータシステムの概観図
【図２２】同コンピュータシステムのブロック図
【発明を実施するための形態】
【００２９】
以下、本発明による車内情報システム等の実施形態について図面を参照して説明する。なお、実施の形態において同じ符号を付した構成要素は同様の動作を行うので、再度の説明を省略する場合がある。また、本実施の形態において説明する各情報の形式、内容などは、あくまで例示であり、各情報の持つ意味を示すことができれば、形式、内容などは問わない。
【００３０】
（実施の形態１）
本実施の形態において、車載装置１１と、１または２以上の車内装置１２を備える車内情報システム１について説明する。車載装置１１は、車載装置１１が設置されている車両の走行に関する情報、ユーザ指示などに応じて、１または２以上の車内装置１２のうちのいずれかが出力している情報と同一の情報を出力する。また、車内装置１２は、例えば、車載装置１１が出力している情報と同一の情報を出力する。また、車内装置１２は、例えば、他の車内装置１２が出力している情報と同一の情報を出力する。
【００３１】
つまり、車載装置１１および１または２以上の車内装置１２のうちのいずれかの装置が、親機となり、残りの装置が子機となり、子機は、親機が出力している情報と同一の情報を出力する、ということである。また、当該親機と子機は、固定ではなく、動的に変更されることが好適である。当該変更の手段や手順などは、問わない。例えば、１または２以上の車内装置１２のうち、ユーザにより最初に操作された車内装置１２が親機となり、他の車内装置および車載装置が子機となることが好適である。また、この場合、親機の車内装置１２は、最初に操作されたこと（親機であること）を示す情報を、子機に送信する。そして、当該情報を受信した子機は、当該情報の受信に応じて、親機が出力している情報と同一の情報を出力するための動作や処理などを行う。
【００３２】
また、図１は、本実施の形態における車内情報システム１の概念図である。図１において、車載装置１１と車内装置１２とは、通信手段１３を介して通信可能である。また、車内装置１２同士は、通信手段１４を介して通信可能である。
【００３３】
車載装置１１は、車載用の装置である。つまり、車載装置１１は、車両内に設置される装置である。当該装置は、例えば、カーナビゲーションシステム、カーオーディオ、カーラジオなどである。また、車両とは、通常、自動車である。また、車両は、例えば、鉄道車両、建設車両、農業車両、産業車両などであってもよい。また、自動車の種類は、問わない。自動車は、いわゆる乗用車、貨物車（トラック）、旅客輸送用の自動車（バス、タクシー）などである。
【００３４】
また、車内装置１２は、情報を出力する装置である。また、車内装置１２は、車載装置１１以外の装置であり、車載装置１１が設置されている車両内に存在する装置である。車内装置１２は、例えば、車両に乗車している人物が所有している装置である。当該装置は、例えば、スマートフォン、タブレット型ＰＣ、携帯型のゲーム機、ＰＤＡなどである。
【００３５】
また、通信手段１３、通信手段１４は、通常、近距離（短距離）の無線通信手段である。通信手段１３、通信手段１４は、例えば、Ｗｉ−Ｆｉ（登録商標）、Ｂｌｕｅｔｏｏｔｈ（登録商標）、ＮＦＣ、ＺｉｇＢｅｅ（登録商標）などである。また、通信手段１３、通信手段１４は、例えば、有線の通信手段であってもよい。また、通信手段１３と通信手段１４は、例えば、同一の通信手段であってもよい。また、通信手段１３と通信手段１４は、例えば、異なる通信手段であってもよい。
【００３６】
また、図２は、本実施の形態における車載装置１１および車内装置１２のブロック図である。車載装置１１は、走行条件格納部１１１、動作識別情報格納部１１２、自動検出部１１３、受付部１１４、実行部１１５、出力部１１６、送信部１１７を備える。また、車内装置１２は、車内格納部１２１、車内検出部１２２、車内受付部１２３、車内受信部１２４、車内出力部１２５、車内送信部１２６を備える。
【００３７】
走行条件格納部１１１には、１以上の走行条件が格納される。走行条件とは、車両の走行に関する条件である。当該車両は、車載装置１１が設置されている車両である。また、走行条件は、例えば、走行情報に関する条件であるとも言える。走行情報とは、車両の走行に関する情報である。
【００３８】
走行情報は、例えば、自車位置、移動速度、走行時間などに関する情報である。これらの情報を、以下、適宜、自車位置情報、移動速度情報、走行時間情報とする。自車位置とは、車両の現在位置である。また、自車位置は、例えば、経緯度である。また、自車位置は、例えば、車両の現在位置付近の地点の名称であってもよい。また、走行時間とは、走行を開始してから（車両のエンジンがＯＮになってから）の経過時間である。また、走行時間は、例えば、走行を終了する（車両のエンジンがＯＦＦになる）たびに、リセットされることが好適である。
【００３９】
また、走行情報は、例えば、燃料残量、道路形状などに関する情報であってもよい。これらの情報を、以下、適宜、燃料残量情報、道路形状情報とする。燃料残量とは、車両のエンジンが使用する燃料の残量である。また、道路形状とは、車両が走行している道路の形状である。道路形状情報は、例えば、「直線」、「カーブ」、「交差点」、「Ｔ字路」などである。
【００４０】
つまり、走行条件は、例えば、自車位置、移動速度、走行時間などに関する条件である。また、走行条件は、例えば、燃料残量、道路形状などに関する条件であってもよい。具体的に、自車位置に関する条件は、例えば、自車位置が、地図上の予め決められた範囲内であること、自車位置と地図上の予め決められた地点との距離が、予め決められた閾値以下であること、自車位置と地図上の予め決められた地点との距離が、予め決められた閾値以上であることなどである。また、移動速度に関する条件は、例えば、移動速度が、予め決められた閾値以下であることなどである。また、走行時間に関する条件は、例えば、走行時間が、予め決められた閾値以下であることなどである。また、燃料残量に関する条件は、例えば、燃料残量が、予め決められた閾値以上であることなどである。また、道路形状に関する条件は、例えば、道路形状が、予め決められた形状であることなどである。なお、上記「以下」は、「未満」であってもよい。また、上記「以上」は、「超過」であってもよい。
【００４１】
さらに具体的に、自車位置に関する条件は、例えば、自車位置と、進行方向にある直近の交差点との距離が、５００ｍ以上であることなどである。また、移動速度に関する条件は、例えば、移動速度が、５ｋｍ／ｈ以下であることなどである。また、走行時間に関する条件は、例えば、走行時間が、１時間未満であることなどである。また、燃料残量に関する条件は、例えば、燃料残量が、２０％以上であることなどである。また、道路形状に関する条件は、例えば、道路形状が、カーブでないこと、道路形状が、直線であること、などである。
【００４２】
また、走行条件は、例えば、上記の条件の２以上の組み合わせであってもよい。組み合わせとは、通常、論理積（ＡＮＤ）である。また、当該組み合わせは、例えば、論理和（ＯＲ）であってもよい。また、走行条件は、車載装置１１において、車載装置１１が設置されている車両の運転者の運転を阻害することなく安全に情報を出力するための条件であるとも言える。
【００４３】
動作識別情報格納部１１２には、２以上の動作識別情報が格納される。動作識別情報とは、車載装置１１が実行可能な動作を識別する情報である。また、動作識別情報は、車載装置１１が実行可能な動作を特定するための情報であるとも言える。また、当該動作は、例えば、機能、処理などであってもよい。また、当該動作は、例えば、映像（動画）の再生、音楽（音声）の再生、写真（画像）の表示、電子ブックの表示、ゲームの実行、機能を実現するためのプログラムの実行などである。つまり、動作識別情報は、例えば、動作の名称、映像のファイル名、映像を再生するためのアイコン、音楽のファイル名、音楽を再生するためのアイコン、写真のファイル名、写真を表示するためのアイコン、電子ブックのファイル名、電子ブックを表示するためのアイコン、ゲームの名称、ゲームを実行するためのアイコン、プログラムの名称、プログラムを実行するためのアイコンなどである。
【００４４】
なお、アイコンは、図柄、絵柄、記号、文字などを表現したものである。アイコンは、通常、いわゆる画像であるが、当該画像の形式は問わない。つまり、当該画像は、ラスタデータであってもよいし、ベクタデータであってもよいし、その他のデータであってもよい。また、アイコンは、アイコンの属性を示す１以上の属性情報を有していてもよい。当該属性は、例えば、色や、大きさ、形状などである。また、アイコンは、アイコンを識別するアイコン識別子を有していてもよい。
【００４５】
自動検出部１１３は、車載装置１１と、１または２以上の各車内装置１２とを、通信可能にする。通信可能にするとは、通信可能な状態にすることである。具体的に、自動検出部１１３は、例えば、車載装置１１と通信可能な１または２以上の車内装置１２を検出する。このとき、自動検出部１１３は、例えば、ＧＰＳ情報、ペアリング情報、赤外線通信などを用いて検出を行う。ＧＰＳ情報とは、車内装置１２の位置に関する情報である。また、ＧＰＳ情報とは、車内装置１２がＧＰＳから受信した情報である。また、ペアリング情報とは、過去に車載装置１１と通信を行った車内装置１２に関する情報である。ペアリング情報は、例えば、リンクキー、ＰＩＮコード、ＭＡＣアドレス、個体識別番号などである。また、ペアリング情報は、例えば、車内装置１２を識別することが可能な情報であればよい。そして、自動検出部１１３は、検出した車内装置１２と、車載装置１１とを、通信可能にする。
【００４６】
また、自動検出部１１３は、車載装置１１と通信可能な１または２以上の車内装置１２を、通常、自動的に検出する。自動検出部１１３は、車載装置１１と通信可能な１または２以上の車内装置１２を、例えば、定期的（予め決められた期間が経過するたび）に検出する。なお、車載装置１１と通信可能な１または２以上の車内装置１２を検出するタイミングは、問わない。
【００４７】
なお、一の装置（ここでは、車載装置１１）と通信可能な他の装置（ここでは、車内装置１２）を自動検出し、当該一の装置と、自動検出した装置とを通信可能にする方法や手順などは、公知であるので、詳細な説明を省略する。
【００４８】
また、以下、車載装置１１が情報や指示などを送信する装置は、通常、自動検出部１１３により、車載装置１１と通信可能となった装置であるものとする。
【００４９】
受付部１１４は、走行情報、ユーザ指示などを受け付ける。受け付けとは、タッチパネルや、キーボードなどの入力デバイスから入力された情報の取得、光ディスクや磁気ディスク、半導体メモリなどの記録媒体に格納されている情報の取得、有線もしくは無線の通信回線を介して送信された情報の受信などを含む概念である。また、受付部１１４は、例えば、走行情報とユーザ指示の両方、または、いずれか一方を受け付ける。
【００５０】
また、ユーザ指示とは、ユーザからの指示である。当該ユーザは、車載装置１１を操作することが可能なユーザである。当該ユーザは、例えば、運転席に座っているユーザと助手席に座っているユーザの両方、または、いずれか一方である。また、ユーザ指示は、例えば、ユーザ操作、出力情報、出力識別情報などのいずれか１以上を有する指示である。当該「有する」は、「含む」であってもよい。また、ユーザ操作とは、ユーザによる車載装置１１に対する操作である。また、出力情報とは、後述の出力部１１６が出力する情報である。また、出力情報は、後述の車内出力部１２５が出力する情報でもある。また、出力情報の内容や形式などは、問わない。出力情報は、例えば、動画、静止画、音声、文字などである。また、出力識別情報とは、出力情報を識別する情報である。出力識別情報は、出力情報を識別することができればよく、その内容や形式などは、問わない。出力識別情報は、例えば、ＵＲＬ、ファイル名、検索キーワードなどである。
【００５１】
また、出力情報を有するユーザ指示の受け付けとは、通常、車内装置１２からの出力情報を有するユーザ指示の受信である。つまり、受付部１１４は、車内装置１２から送信された出力情報を有するユーザ指示を、受信により受け付ける。また、出力識別情報を有するユーザ指示の受け付けとは、通常、車内装置１２からの出力識別情報を有するユーザ指示の受信である。つまり、受付部１１４は、車内装置１２から送信された出力情報を、受信により受け付ける。
【００５２】
また、走行情報の受け付けとは、例えば、車載装置１１が設置されている車両からの取得や受信などである。つまり、受付部１１４は、車両から取得や受信することにより、走行情報を受け付ける。また、受付部１１４は、走行情報を、通常、自動的に受け付ける。また、受付部１１４は、走行情報を、例えば、定期的（予め決められた期間が経過するたび）に受け付ける。なお、走行情報を受け付けるタイミングは、問わない。また、走行情報を取得する方法や手順などは、公知であるので、詳細な説明を省略する。
【００５３】
また、受付部１１４は、例えば、選択指示を受け付けてもよい。選択指示とは、２以上の動作識別情報のうちのいずれか１つの動作識別情報を選択する指示である。当該２以上の動作識別情報は、動作識別情報格納部１１２に格納されている動作識別情報である。また、当該２以上の動作識別情報は、通常、後述の出力部１１６が出力している動作識別情報である。
【００５４】
また、受付部１１４は、例えば、図示しない取得手段と、図示しない受信手段と、図示しない受付手段とを備えていてもよい。取得手段は、例えば、走行情報を取得する。当該取得には、受信も含まれる。また、受信手段は、例えば、出力情報または出力識別情報を有するユーザ指示を受信する。また、受付手段は、例えば、ユーザ操作を有するユーザ指示、選択指示などを受け付ける。
【００５５】
実行部１１５は、選択指示に対応する動作識別情報により識別される動作を実行する。選択指示に対応する動作識別情報は、選択指示により選択された動作識別情報であるとも言える。なお、動作識別情報により識別される動作を実行する方法や手順などは、公知であるので、詳細な説明を省略する。例えば、選択指示に対応する動作識別情報がファイル名である場合、実行部１１５は、例えば、当該ファイル名に対応するファイルを、予め決められたプログラムにより再生または表示する。また、選択指示に対応する動作識別情報がアイコンである場合、実行部１１５は、例えば、当該アイコンに対応するプログラムを実行する。
【００５６】
また、実行部１１５は、例えば、走行情報に応じた動作を実行してもよい。この場合、実行部１１５は、例えば、走行条件と、動作識別情報との対応表を予め保持している。そして、実行部１１５は、例えば、受付部１１４が受け付けた走行情報が満たす走行条件に対応する動作識別情報を、当該対応表から取得する。そして、実行部１１５は、当該取得した動作識別情報により識別される動作を実行する。
【００５７】
また、実行部１１５は、例えば、ユーザ操作に応じた動作を実行してもよい。
【００５８】
また、後述の出力部１１６は、例えば、上記、実行部１１５による動作の実行に伴い、当該実行の結果に応じた情報を出力する。例えば、実行部１１５が映像を再生した場合、出力部１１６は、例えば、当該映像、映像の再生に関するメニューなどを出力する。また、例えば、実行部１１５が音楽を再生した場合、出力部１１６は、例えば、当該音楽のタイトル、当該音楽に関連する画像（例えば、ＣＤのジャケットの画像）、音楽の再生に関するメニューなどを出力する。また、実行部１１５が写真を表示した場合、出力部１１６は、例えば、当該写真、写真の表示に関するメニューなどを出力する。また、実行部１１５がゲームを実行した場合、出力部１１６は、例えば、当該ゲームに関連する画面（例えば、スタート時の画面、ゲームの操作に応じた画面など）を出力する。
【００５９】
出力部１１６は、例えば、出力情報を出力する。出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。つまり、出力部１１６による出力情報の出力には、例えば、当該出力情報の車内装置１２への送信が含まれてもよい。この場合、当該出力情報は、通常、出力部１１６が出力している出力情報である。
【００６０】
なお、出力部１１６が出力情報を出力する場合、通常、車載装置１１は、子機であり、１または２以上の車内装置１２のうちのいずれかが、親機である。また、出力部１１６が出力情報を車内装置１２に送信する場合、通常、車載装置１１が、親機であり、車内装置１２は、子機である。また、車載装置１１が子機である場合、出力部１１６は、親機である車内装置１２が出力している情報と同一の情報を出力する。また、車載装置１１が親機である場合、出力部１１６は、例えば、子機である１または２以上の車内装置１２に、出力している情報と同一の情報を出力するために用いる情報を送信する。
【００６１】
また、出力部１１６は、例えば、走行情報が走行条件を満たす場合に、出力情報を出力する。また、出力部１１６は、例えば、受付部１１４がユーザ指示を受け付けた場合に、出力情報を出力する。また、出力部１１６は、例えば、走行情報が走行条件を満たし、かつ、受付部１１４がユーザ指示を受け付けた場合に、出力情報を出力する。当該走行情報は、受付部１１４が受け付けた走行情報である。また、当該走行条件は、走行条件格納部１１１に格納されている走行条件である。以下、上記の各場合における出力部１１６の処理や動作について、車載装置１１が子機である場合と親機である場合とに分けて、順に説明する。
［車載装置１１が子機である場合］
【００６２】
（１）走行情報が走行条件を満たす際に出力情報を出力する場合、出力部１１６は、例えば、受付部１１４による走行情報の受け付けに応じて、当該走行情報が、走行条件格納部１１１に格納されている１以上の走行条件のうちのいずれかを満たすか否かを判断する。そして、満たす場合、出力部１１６は、出力情報を出力する。当該出力情報は、例えば、受付部１１４が受け付けたユーザ指示が有する出力情報である。また、当該出力情報は、例えば、受付部１１４が受け付けたユーザ指示が有する出力識別情報により識別される出力情報である。
【００６３】
（２）受付部１１４がユーザ指示を受け付けた際に出力情報を出力する場合、出力部１１６は、例えば、受付部１１４が、出力情報または出力識別情報を有するユーザ指示を受け付けたか否かを判断する。そして、出力情報を有するユーザ指示を受け付けた場合、出力部１１６は、当該出力情報を出力する。また、出力識別情報を有するユーザ指示を受け付けた場合、出力部１１６は、当該出力識別情報により識別される出力情報を出力する。
【００６４】
（３）走行情報が走行条件を満たし、かつ、受付部１１４がユーザ指示を受け付けた際に出力情報を出力する場合、出力部１１６は、例えば、まず、受付部１１４が、出力情報または出力識別情報を有するユーザ指示を受け付けたか否かを判断する。そして、受け付けた場合、出力部１１６は、当該受け付けの後に、受付部１１４が走行情報を受け付けるたびに、当該走行情報が、走行条件格納部１１１に格納されている１以上の走行条件のうちのいずれかを満たすか否かを判断する。そして、満たす場合、出力部１１６は、受付部１１４が受け付け済みのユーザ指示が有する出力情報または出力識別情報を用いて、出力情報を出力する。
［車載装置１１が親機である場合］
【００６５】
（１）走行情報が走行条件を満たす際に出力情報を出力する場合、出力部１１６は、例えば、受付部１１４による走行情報の受け付けに応じて、当該走行情報が、走行条件格納部１１１に格納されている１以上の走行条件のうちのいずれかを満たすか否かを判断する。そして、満たす場合、出力部１１６は、出力している出力情報を、子機である１または２以上の車内装置１２に送信する。
【００６６】
（２）受付部１１４がユーザ指示を受け付けた際に出力情報を出力する場合、出力部１１６は、例えば、受付部１１４が、ユーザ操作を有するユーザ指示を受け付けたか否かを判断する。そして、受け付けた場合、出力部１１６は、出力している出力情報を、子機である１または２以上の車内装置１２に送信する。
【００６７】
（３）走行情報が走行条件を満たし、かつ、受付部１１４がユーザ指示を受け付けた際に出力情報を出力する場合、出力部１１６は、例えば、まず、受付部１１４が、ユーザ操作を有するユーザ指示を受け付けたか否かを判断する。そして、受け付けた場合、出力部１１６は、当該受け付けの後に、受付部１１４が走行情報を受け付けるたびに、当該走行情報が、受け付けた走行情報が、走行条件格納部１１１に格納されている１以上の走行条件のうちのいずれかを満たすか否かを判断する。そして、満たす場合、出力部１１６は、出力している出力情報を、子機である１または２以上の車内装置１２に送信する。
【００６８】
なお、出力識別情報により識別される出力情報を出力する場合、出力部１１６は、当該出力情報を、図示しない出力情報格納部や図示しないサーバ装置などから取得する。この場合、出力情報格納部には、出力識別情報が対応付いた１以上の出力情報が格納されている。また、サーバ装置は、出力識別情報が対応付いた１以上の出力情報を予め保持している。また、当該出力情報格納部や当該サーバ装置などから、出力識別情報により識別される出力情報を出力する方法や手順などは、自明であるので、説明を省略する。
【００６９】
また、走行情報が走行条件を満たすか否かの判断、受付部１１４がユーザ指示を受け付けたか否かの判断など、出力情報を出力するための判断（以下、適宜、出力判断とする）は、例えば、図示しない判断部が行ってもよい。この場合、出力部１１６は、判断部が、出力情報を出力すると判断した場合に、出力情報を出力する。
【００７０】
また、走行情報が走行条件を満たし、かつ、受付部１１４がユーザ指示を受け付けた場合に出力情報を出力することは、言い換えると、受付部１１４がユーザ指示を受け付けた後、走行情報が走行条件を満たすまでは、車内装置１２において出力されている情報と同一の情報を出力せず、走行情報が走行条件を満たした場合に、車内装置１２において出力されている情報と同一の情報を出力する、ということである。
【００７１】
また、上記、出力部１１６が出力している出力情報は、例えば、走行情報に応じて決定された動作に対応する情報、選択指示により選択された動作識別情報により識別される動作に対応する情報などである。当該情報は、実行部１１５による動作の実行結果である。
【００７２】
また、出力部１１６は、例えば、２以上の動作識別情報を出力する。当該２以上の動作識別情報は、動作識別情報格納部１１２に格納されている動作識別情報である。また、当該２以上の動作識別情報は、ユーザが選択するための動作識別情報である。
【００７３】
送信部１１７は、出力指示を、車内装置１２に送信する。出力指示とは、実行部１１５による動作の実行結果である情報と同一の情報を出力する指示である。つまり、送信部１１７は、実行部１１５による動作の実行の結果、出力部１１６が出力している情報と同一の情報を出力することを指示するための出力指示を、車内装置１２に送信する。なお、出力指示は、例えば、出力部１１６が出力している出力情報または当該出力情報を識別する出力識別情報を有する指示である。また、出力指示は、例えば、実行部１１５が動作の実行に用いた動作識別情報を有する指示であってもよい。
【００７４】
また、出力部１１６が行う出力情報の車内装置１２への送信は、例えば、上記のとおり、送信部１１７が行ってもよい。この場合、当該出力情報の送信は、出力指示の送信である。また、この場合、出力部１１６は、出力情報の車内装置１２への送信を行わない。
【００７５】
車内装置１２を構成する車内格納部１２１には、出力情報と、出力識別情報とが対応付いて格納される。当該出力情報は、１以上である。従って、当該出力識別情報も、１以上である。また、一の出力情報に対応付いている一の出力識別情報は、当該出力情報を識別する情報である。
【００７６】
車内検出部１２２は、通常、車内装置１２と他の車内装置１２とを、通信可能にする。また、車内検出部１２２は、例えば、車内装置１２と車載装置１１とを、通信可能にしてもよい。なお、車内検出部１２２が行う処理や動作などは、自動検出部１１３が行う処理や動作などと同様であるので、説明を省略する。
【００７７】
なお、以下、車内装置１２が情報や指示などを送信する装置は、通常、車内検出部１２２により、車内装置１２と通信可能となった装置であるものとする。
【００７８】
車内受付部１２３は、送信指示を受け付ける。送信指示とは、出力情報または出力識別情報を送信する指示である。また、当該出力情報および出力識別情報は、後述の車内出力部１２５が出力している出力情報および当該出力情報を識別する出力識別情報である。また、車内受付部１２３が送信指示を受け付ける場合、当該送信指示を受け付ける車内装置１２は、通常、親機である。
【００７９】
また、車内受付部１２３は、ユーザ操作を受け付ける。当該車内受付部１２３が受け付けるユーザ操作は、ユーザによる車内装置１２に対する操作である。また、当該ユーザは、例えば、車内装置１２を所持しているユーザである。
【００８０】
車内受信部１２４は、車載装置１１から、出力指示を受信する。当該出力指示は、通常、出力情報または出力識別情報を有する指示である。また、当該出力指示は、例えば、動作識別情報を有する指示であってもよい。また、車内受信部１２４は、出力指示を、例えば、他の車内装置１２から受信してもよい。また、車内受信部１２４が車載装置１１から出力指示を受信する場合、当該出力指示を受信する車内装置１２は、通常、子機である。また、車内受信部１２４が他の車内装置１２から出力指示を受信する場合、当該出力指示を受信する車内装置１２は、子機であり、当該出力指示を送信する車内装置１２は、親機である。
【００８１】
車内出力部１２５は、例えば、出力指示に対応する出力情報を出力する。例えば、出力指示が出力情報を有する場合、車内出力部１２５は、当該出力情報を出力する。また、例えば、出力指示が出力識別情報を有する場合、車内出力部１２５は、当該出力識別情報により識別される出力情報を出力する。また、例えば、出力指示が動作識別情報を有する場合、例えば、まず、図示しない車内実行部が、当該動作識別情報により識別される動作を実行する。そして、車内出力部１２５は、当該動作の実行に伴い、当該実行の結果に応じた情報を出力する。
【００８２】
なお、出力識別情報により識別される出力情報を出力する場合、車内出力部１２５は、当該出力情報を、車内格納部１２１や図示しないサーバ装置などから取得する。この場合、車内格納部１２１には、出力識別情報が対応付いた１以上の出力情報が格納されている。また、サーバ装置は、出力識別情報が対応付いた１以上の出力情報を予め保持している。また、車内格納部１２１や当該サーバ装置などから、出力識別情報により識別される出力情報を出力する方法や手順などは、自明であるので、説明を省略する。
【００８３】
また、車内出力部１２５は、例えば、ユーザ操作に応じて、当該操作に対応する出力情報を出力する。当該ユーザ操作は、車内受付部１２３が受け付けたユーザ操作である。例えば、ユーザが、車内装置１２に対して、Ｗｅｂページを閲覧する操作を行った場合、車内出力部１２５は、当該Ｗｅｂページを出力する。また、例えば、ユーザが、車内装置１２に対して、車内装置１２が予め保持している写真（画像）を表示する操作を行った場合、車内出力部１２５は、当該写真を出力する。
【００８４】
車内送信部１２６は、送信指示の受け付けに応じて、出力情報または出力識別情報を有するユーザ指示を、車載装置１１に送信する。また、車内送信部１２６は、例えば、送信指示の受け付けに応じて、出力情報または出力識別情報を有する出力指示を、他の車内装置１２に送信してもよい。また、車内送信部１２６が送信する出力情報および出力識別情報は、車内出力部１２５が出力している出力情報および当該出力情報を識別する出力識別情報である。
【００８５】
なお、子機である車内装置１２が、親機である車内装置１２が出力している情報と同一の情報を出力する方法や手順などは、問わない。子機である車内装置１２は、例えば、親機である車内装置１２から、直接的に、親機である車内装置１２が出力している情報と同一の情報を出力するために用いる情報（例えば、出力情報、出力識別情報など）を受信する。この場合、親機である車内装置１２が備える車内送信部１２６は、子機である車内装置１２に、出力指示を送信する。また、当該車内送信部１２６は、子機である車載装置１１に、ユーザ指示を送信する。また、子機である車内装置１２は、例えば、親機である車内装置１２から、間接的に、親機である車内装置１２が出力している情報と同一の情報を出力するために用いる情報を受信する。間接的にとは、例えば、子機である車載装置１１を経由することである。この場合、親機である車内装置１２が備える車内送信部１２６は、子機である車載装置１１に、ユーザ指示を送信する。そして、当該車載装置１１の受付部１１４は、当該ユーザ指示を受け付ける。また、子機である車載装置１１が備える送信部１１７は、例えば、受付部１１４が受け付けたユーザ指示を、出力指示として、子機である車内装置１２に送信する。
【００８６】
また、車載装置１１および１または２以上の車内装置１２（以下、当該各装置を、対象装置とする）のいずれが親機または子機であるかの管理方法（親機、子機を自動的に変更する方法）は、例えば、次のとおりである。例えば、上記対象装置のうちのいずれかは、予め決められた条件（以下、適宜、親機条件とする）を満たす場合に、親機となる。親機条件の内容は、問わない。そして、上記各対象装置は、定期的に、親機条件を満たすか否かを判断する。そして、親機条件を満たす場合、上記対象装置のうちのいずれかは、親機となる。そして、親機となった対象装置は、他の対象装置に、子機である旨を示す情報（以下、適宜、子機情報とする）を送信する。そして、親機となった対象装置は、親機である旨を示す情報（以下、適宜、親機情報とする）を、図示しない格納部に蓄積する。また、子機情報を受信した対象装置は、当該子機情報を、図示しない格納部に蓄積する。このとき、当該格納部に親機情報が格納されている場合、当該子機情報を受信した対象装置は、当該親機情報を削除し、子機情報を蓄積する。また、親機情報および子機情報は、例えば、いわゆるフラグであってもよい。
【００８７】
また、親機条件は、例えば、上記対象装置による情報や指示の受け付けに関する条件、上記対象装置が設置されている車両（上記対象装置が存在する車両）の走行に関する条件、上記対象装置の状態に関する条件、上記対象装置のスペックに関する条件などである。具体的に、上記対象装置による情報や指示の受け付けに関する条件は、例えば、上記対象装置が、予め決められた情報や指示を受け付けたことである。また、上記対象装置による情報や指示の受け付けに関する条件は、例えば、上記対象装置が、予め決められたボタンやメニュー項目に対する操作（通常、押下）を受け付けたことであってもよい。また、上記対象装置が設置されている車両の走行に関する条件は、走行条件と同様である。また、上記対象装置の状態に関する条件は、例えば、上記対象装置が、子機であること、上記対象装置が、他の装置において出力されている情報と同一の情報を出力していること、上記対象装置のすべてが、同一の情報を出力していること、バッテリー残量が、上記対象装置の中で最大であること、バッテリー残量が、上記対象装置の中で最小であることなどである。また、上記対象装置のハードウェアスペック（処理能力）に関する条件は、例えば、ハードウェアスペックが、上記対象装置の中で最大であること、ハードウェアスペックが、上記対象装置の中で最小であることなどである。また、親機条件は、これらの条件の２以上の組み合わせであってもよい。組み合わせとは、通常、論理積（ＡＮＤ）である。また、当該組み合わせは、例えば、論理和（ＯＲ）であってもよい。
【００８８】
また、車載装置１１および車内装置１２は、例えば、親機情報を、他の対象装置から受信してもよい。この場合、親機情報を受信した対象装置は、子機情報を他の対象装置に送信する。
【００８９】
また、対象装置は、例えば、子機である間は、ユーザ操作を受け付けなくてもよい。ユーザ操作を受け付けないとは、ユーザ操作は受け付けるが、当該ユーザ操作を無視すること（キャンセルすること）であってもよい。これにより、子機に対するユーザ操作に阻害されることなく、親機が出力している情報と同一の情報を子機において出力することができる。
【００９０】
また、走行条件格納部１１１、動作識別情報格納部１１２、車内格納部１２１は、不揮発性の記録媒体が好適であるが、揮発性の記録媒体でも実現可能である。また、走行条件格納部１１１などに所定の情報が記憶される過程は、問わない。例えば、当該所定の情報は、記録媒体や、通信回線、入力デバイスなどを介して走行条件格納部１１１などに記憶されてもよい。
【００９１】
また、自動検出部１１３、実行部１１５、車内検出部１２２は、通常、ＭＰＵやメモリ等から実現され得る。また、自動検出部１１３などの処理手順は、通常、ソフトウェアで実現され、当該ソフトウェアはＲＯＭ等の記録媒体に記録されている。なお、自動検出部１１３などは、ハードウェア（専用回路）で実現されてもよい。
【００９２】
また、受付部１１４、車内受付部１２３における情報や指示などの入力手段は、メニュー画面によるものや、キーボードなど、何でもよい。受付部１１４などは、メニュー画面の制御ソフトウェアや、キーボード等の入力手段のデバイスドライバなどで実現され得る。
【００９３】
また、出力部１１６、車内出力部１２５は、ディスプレイやスピーカーなどの出力デバイスを含むと考えてもよいし、含まないと考えてもよい。出力部１１６などは、出力デバイスのドライバソフトまたは、出力デバイスのドライバソフトと出力デバイスなどで実現され得る。
【００９４】
また、送信部１１７、車内送信部１２６は、通常、無線または有線の通信手段で実現されるが、放送手段で実現されてもよい。
【００９５】
また、車内受信部１２４は、通常、無線または有線の通信手段で実現されるが、放送を受信する手段で実現されてもよい。
【００９６】
次に、車内情報システム１の全体動作について、フローチャートを用いて説明する。なお、所定の情報におけるｉ番目の情報は、「情報［ｉ］」と記載するものとする。まず、車載装置１１の全体動作について、図３のフローチャートを用いて説明する。
【００９７】
（ステップＳ３０１）車載装置１１は、受付部１１４が電源ＯＮの指示を受け付けたか否かを判断する。受付部１１４は、通常、車載装置１１が設置されている車両のエンジンがＯＮになると、電源ＯＮの指示を受け付ける。そして、受け付けた場合は、ステップＳ３０２に進み、そうでない場合は、ステップＳ３０１に戻る。
【００９８】
（ステップＳ３０２）車載装置１１は、電源ＯＮの処理を行う。
【００９９】
（ステップＳ３０３）自動検出部１１３は、車載装置１１と通信可能な１または２以上の車内装置１２の自動検出を開始する。そして、自動検出部１１３は、自動検出した１または２以上の車内装置１２を、車載装置１１と通信可能にする。以降、自動検出部１１３は、車載装置１１の電源がＯＦＦになるまで、定期的に通信可能な車内装置１２を自動検出する。
【０１００】
（ステップＳ３０４）受付部１１４は、走行情報の受け付けを開始する。以降、受付部１１４は、車載装置１１の電源がＯＦＦになるまで、定期的に走行情報を受け付ける。
【０１０１】
（ステップＳ３０５）図示しない蓄積部は、図示しない受信部が子機情報を受信したか否かを判断する。受信した場合は、ステップＳ３０６に進み、そうでない場合は、ステップＳ３１１に進む。
【０１０２】
（ステップＳ３０６）図示しない蓄積部は、図示しない受信部が受信した子機情報を、図示しない格納部に蓄積する。
【０１０３】
（ステップＳ３０７）出力部１１６は、受付部１１４が、出力情報または出力識別情報を有するユーザ指示を受け付けたか否かを判断する。受け付けた場合は、ステップＳ３０８に進み、そうでない場合は、ステップＳ３１１に進む。
【０１０４】
（ステップＳ３０８）出力部１１６は、出力判断を行う。この処理の詳細は、図４のフローチャートを用いて説明する。また、出力部１１６は、出力判断の結果を、出力フラグにセットする。
【０１０５】
（ステップＳ３０９）出力部１１６は、出力フラグがｔｒｕｅであるか否かを判断する。ｔｒｕｅである場合は、ステップＳ３１０に進み、そうでない場合は、ステップＳ３１１に進む。
【０１０６】
（ステップＳ３１０）出力部１１６は、受付部１１４が受け付けた出力情報または出力識別情報を用いて、出力情報を出力する。
【０１０７】
（ステップＳ３１１）図示しない蓄積部は、車載装置１１が親機条件を満たすか否かを判断する。当該親機条件は、例えば、図示しない蓄積部が予め保持している。そして、親機条件を満たす場合は、ステップＳ３１２に進み、そうでない場合は、ステップＳ３１７に進む。
【０１０８】
（ステップＳ３１２）図示しない蓄積部は、親機情報を図示しない格納部に蓄積する。当該親機情報は、例えば、図示しない蓄積部が予め保持している。
【０１０９】
（ステップＳ３１３）送信部１１７は、子機情報を車内装置１２に送信する。当該子機情報は、例えば、送信部１１７が予め保持している。
【０１１０】
（ステップＳ３１４）実行部１１５は、受付部１１４が、ユーザ操作を有するユーザ指示を受け付けたか否かを判断する。受け付けた場合は、ステップＳ３１５に進み、そうでない場合は、ステップＳ３１８に進む。
【０１１１】
（ステップＳ３１５）実行部１１５は、受付部１１４が受け付けたユーザ操作に応じた動作を実行する。
【０１１２】
（ステップＳ３１６）送信部１１７は、実行部１１５による動作の実行の結果、出力部１１６が出力情報を出力したか否かを判断する。出力した場合は、ステップＳ３１７に進み、そうでない場合は、ステップＳ３１８に進む。
【０１１３】
（ステップＳ３１７）送信部１１７は、出力部１１６が出力している情報と同一の情報を出力する出力指示を、車内装置１２に送信する。
【０１１４】
（ステップＳ３１８）車載装置１１は、受付部１１４が電源ＯＦＦの指示を受け付けたか否かを判断する。受付部１１４は、通常、車載装置１１が設置されている車両のエンジンがＯＦＦになると、電源ＯＦＦの指示を受け付ける。そして、受け付けた場合は、ステップＳ３１９に進み、そうでない場合は、ステップＳ３０５に戻る。
【０１１５】
（ステップＳ３１９）車載装置１１は、電源ＯＦＦの処理を行う。そして、ステップＳ３０１に戻る。
【０１１６】
なお、図３のフローチャートにおいて、電源オフや処理終了の割り込みにより処理を終了してもよい。
【０１１７】
また、図３のフローチャート（ステップＳ３１３）において、ユーザ操作には、例えば、選択指示が含まれる。この場合、図３のフローチャート（ステップＳ３１４）において、ユーザ操作に応じた動作の実行には、選択指示により選択された動作識別情報により識別される動作の実行が含まれる。
【０１１８】
図４は、図３のフローチャートのステップＳ３０８の出力の判断処理を示すフローチャートである。なお、図４のフローチャートにおいて、走行条件格納部１１１には、ｍ個の走行条件が格納されているものとする。
【０１１９】
（ステップＳ４０１）出力部１１６は、出力フラグにｆａｌｓｅをセットする。
【０１２０】
（ステップＳ４０２）出力部１１６は、出力判断の判断方法を判断する。当該判断は、例えば、当該判断方法を示す情報が予め決められた記憶領域に格納されており、当該情報を用いて行う。そして、判断方法が、ユーザ指示の受け付けにより判断する方法である場合は、ステップＳ４１２に進み、走行情報により判断する方法である場合は、ステップＳ４０３に進み、ユーザ指示の受け付けおよび走行情報により判断する方法である場合は、ステップＳ４０７に進む。
【０１２１】
（ステップＳ４０３）出力部１１６は、カウンタｉに１をセットする。
【０１２２】
（ステップＳ４０４）出力部１１６は、受付部１１４が受け付け済みである走行情報が走行条件［ｉ］を満たすか否かを判断する。満たす場合は、ステップＳ４１２に進み、そうでない場合は、ステップＳ４０５に進む。
【０１２３】
（ステップＳ４０５）出力部１１６は、ｉがｍであるか否かを判断する。ｍである場合は、上位処理にリターンし、そうでない場合は、ステップＳ４０６に進む。
【０１２４】
（ステップＳ４０６）出力部１１６は、ｉを１インクリメントする。そして、ステップＳ４０４に戻る。
【０１２５】
（ステップＳ４０７）出力部１１６は、受付部１１４が走行情報を受け付けたか否かを判断する。受け付けた場合は、ステップＳ４０８に進み、そうでない場合は、ステップＳ４０７に戻る。
【０１２６】
（ステップＳ４０８）出力部１１６は、カウンタｉに１をセットする。
【０１２７】
（ステップＳ４０９）出力部１１６は、受付部１１４が受け付けた走行情報が走行条件［ｉ］を満たすか否かを判断する。満たす場合は、ステップＳ４１２に進み、そうでない場合は、ステップＳ４１０に進む。
【０１２８】
（ステップＳ４１０）出力部１１６は、ｉがｍであるか否かを判断する。ｍである場合は、ステップＳ４０７に戻り、そうでない場合は、ステップＳ４１１に進む。
【０１２９】
（ステップＳ４１１）出力部１１６は、ｉを１インクリメントする。そして、ステップＳ４０９に戻る。
【０１３０】
（ステップＳ４１２）出力部１１６は、出力フラグにｔｒｕｅをセットする。そして、上位処理にリターンする。
【０１３１】
次に、車内装置１２の全体動作について、図５のフローチャートを用いて説明する。
【０１３２】
（ステップＳ５０１）車内装置１２は、車内受付部１２３が電源ＯＮの指示を受け付けたか否かを判断する。受け付けた場合は、ステップＳ５０２に進み、そうでない場合は、ステップＳ５０１に戻る。
【０１３３】
（ステップＳ５０２）車内装置１２は、電源ＯＮの処理を行う。
【０１３４】
（ステップＳ５０３）車内検出部１２２は、車内装置１２と通信可能な他の車内装置１２および車載装置の自動検出を開始する。そして、車内検出部１２２は、自動検出した他の車内装置１２および車載装置１１を、車内装置１２と通信可能にする。以降、車内検出部１２２は、車内装置１２の電源がＯＦＦになるまで、定期的に通信可能な他の車内装置１２および車載装置１１を自動検出する。
【０１３５】
（ステップＳ５０４）図示しない車内蓄積部は、車内装置１２が親機条件を満たすか否かを判断する。当該親機条件は、図示しない車内蓄積部が予め保持している。そして、親機条件を満たす場合は、ステップＳ５０５に進み、そうでない場合は、ステップＳ５１１に進む。
【０１３６】
（ステップＳ５０５）図示しない車内蓄積部は、親機情報を車内格納部１２１に蓄積する。当該親機情報は、図示しない車内蓄積部が予め保持している。
【０１３７】
（ステップＳ５０６）車内送信部１２６は、子機情報を他の車内装置１２および車載装置１１に送信する。当該子機情報は、例えば、車内送信部１２６が予め保持している。
【０１３８】
（ステップＳ５０７）車内出力部１２５は、車内受付部１２３がユーザ操作を受け付けたか否かを判断する。受け付けた場合は、ステップＳ５０８に進み、そうでない場合は、ステップＳ５１２に進む。
【０１３９】
（ステップＳ５０８）車内出力部１２５は、車内受付部１２３が受け付けたユーザ操作に応じた情報を出力する。
【０１４０】
（ステップＳ５０９）車内送信部１２６は、車内受付部１２３が送信指示を受け付けたか否かを判断する。受け付けた場合は、ステップＳ５１０に進み、そうでない場合は、ステップＳ５１２に進む。
【０１４１】
（ステップＳ５１０）車内送信部１２６は、車内出力部１２５が出力している出力情報または当該出力情報を識別する出力識別情報を有するユーザ指示を、車載装置１１に送信する。
【０１４２】
（ステップＳ５１１）車内送信部１２６は、車内出力部１２５が出力している情報と同一の情報を出力する出力指示を、他の車内装置１２に送信する。
【０１４３】
（ステップＳ５１２）図示しない車内蓄積部は、車内受信部１２４が子機情報を受信したか否かを判断する。受信した場合は、ステップＳ５１３に進み、そうでない場合は、ステップＳ５１６に進む。
【０１４４】
（ステップＳ５１３）図示しない車内蓄積部は、車内受信部１２４が受信した子機情報を、車内格納部１２１に蓄積する。
【０１４５】
（ステップＳ５１４）車内出力部１２５は、車内受信部１２４が出力指示を受信したか否かを判断する。受信した場合は、ステップＳ５１５に進み、そうでない場合は、ステップＳ５１６に進む。
【０１４６】
（ステップＳ５１５）車内出力部１２５は、出力指示に応じた情報を出力する。
【０１４７】
（ステップＳ５１６）車内装置１２は、車内受付部１２３が電源ＯＦＦの指示を受け付けたか否かを判断する。受け付けた場合は、ステップＳ５１７に進み、そうでない場合は、ステップＳ５０４に戻る。
【０１４８】
（ステップＳ５１７）車内装置１２は、電源ＯＦＦの処理を行う。そして、ステップＳ５０１に戻る。
【０１４９】
なお、図５のフローチャートにおいて、電源オフや処理終了の割り込みにより処理を終了してもよい。
【０１５０】
なお、上記で説明した車内情報システム１の全体動作は、あくまで一例である。つまり、車内情報システム１の全体動作は、上記の説明に限定されるものではない。
【０１５１】
（具体例）
次に、車内情報システム１の動作の具体例について説明する。なお、本具体例において、車載装置１１が設置されている車両は、自動車であるものとする。また、車載装置１１は、カーナビゲーションシステム（以下、適宜、カーナビとする）であるものとする。また、車内装置１２は、スマートフォン（以下、適宜、スマホとする）であるものとする。
【０１５２】
（例１）
本例において、車載装置１１が子機であり、１以上の車内装置１２のいずれかが親機である場合の具体例について説明する。なお、本例において、走行条件格納部１１１には、図６に示す走行条件が格納されているものとする。当該走行条件には、レコードを一意に特定するためのＩＤが対応付いている。
【０１５３】
まず、自動車に、ドライバー（運転者）と、３人のユーザが乗車しているとする。当該３人のユーザは、それぞれ、助手席、後部座席に乗車している。また、当該３人のユーザは、それぞれ、スマホを所持している。当該３台のスマホを、以下、それぞれ、スマホＡ、スマホＢ、スマホＣとする。
【０１５４】
次に、ドライバーが、自動車のエンジンをＯＮにしたとする。すると、カーナビの電源がＯＮになる。そして、自動検出部１１３は、カーナビと通信可能なスマホの自動検出を開始する。この結果、自動検出部１１３は、上記３台のスマホを、カーナビと通信可能にする。
【０１５５】
ここで、親機条件が、カーナビと最初に通信可能になったこと、であるとする。また、スマホＡが、カーナビと最初に通信可能になったとする。すると、自動検出部１１３は、スマホＡが親機条件を満たすと判断する。そして、送信部１１７は、親機情報をスマホＡに送信する。
【０１５６】
次に、スマホＡの車内受信部１２４は、カーナビから送信された親機情報を受信する。そして、図示しない車内蓄積部は、当該親機情報を、車内格納部１２１に蓄積する。そして、車内送信部１２６は、カーナビ、スマホＢ、スマホＣに、子機情報を送信する。
【０１５７】
次に、カーナビの図示しない受信部は、スマホＡから送信された子機情報を受信する。そして、図示しない蓄積部は、当該子機情報を、図示しない格納部に蓄積する。また、スマホＢ、スマホＣの車内受信部１２４は、カーナビと同様に、スマホＡから送信された子機情報を受信する。そして、スマホＢ、スマホＣの図示しない車内蓄積部は、当該子機情報を、車内格納部１２１に蓄積する。
【０１５８】
次に、スマホＡを所持しているユーザが、スマホＡに対し、Ｗｅｂページを表示するための操作を行ったとする。すると、スマホＡの車内受付部１２３は、当該操作を受け付ける。そして、スマホＡの車内出力部１２５は、当該操作に応じて、Ｗｅｂページを出力する。当該Ｗｅｂページは、出力情報である。また、当該出力の例は、例えば、図７である。
【０１５９】
次に、スマホＡの車内受付部１２３は、車内出力部１２５によるＷｅｂページの出力が完了すると、送信指示を受け付ける。そして、車内送信部１２６は、当該送信指示の受け付けに応じて、車内出力部１２５が出力しているＷｅｂページのＵＲＬを有するユーザ指示を、カーナビに送信する。また、車内送信部１２６は、当該送信指示の受け付けに応じて、車内出力部１２５が出力しているＷｅｂページのＵＲＬを有する出力指示を、スマホＢ、スマホＣに送信する。当該ＵＲＬは、出力識別情報である。
【０１６０】
次に、カーナビの受付部１１４は、ＵＲＬを有するユーザ指示を受け付ける。当該受け付けは、通常、受信である。そして、出力部１１６は、当該ＵＲＬにより識別されるＷｅｂページを出力する。当該出力の例は、例えば、図８である。
【０１６１】
また、スマホＢ、スマホＣの車内受信部１２４は、ＵＲＬを有する出力指示を受信する。そして、スマホＢ、スマホＣの車内出力部１２５は、カーナビの出力部１１６と同様に、当該ＵＲＬにより識別されるＷｅｂページを出力する。スマホＢにおける当該出力の例は、例えば、図９である。
【０１６２】
なお、図７から図９について、カーナビ、スマホＡ、スマホＢの画面解像度（画面サイズ）は、それぞれ異なるため、Ｗｅｂページの表示サイズ、表示範囲が、それぞれ、異なっている。
【０１６３】
また、上記、Ｗｅｂページの出力の結果、上記４台の装置において、同一の情報が出力されている状態となる。
【０１６４】
次に、上記４台の装置において、同一のＷｅｂページが表示されている状態において、スマホＢを所持しているユーザが、スマホＢに対して、スマホＢに保存されている１枚の写真（画像）を表示するための操作を、他のユーザよりも先に（最初に）行ったとする。すると、スマホＢの車内受付部１２３は、当該操作を受け付ける。また、図示しない車内蓄積部は、スマホＢが親機条件を満たすと判断する。そして、車内蓄積部は、親機情報を、車内格納部１２１に蓄積する。また、スマホＢの車内送信部１２６は、カーナビ、スマホＡ、スマホＣに、子機情報を送信する。
【０１６５】
次に、カーナビの図示しない受信部は、スマホＢから送信された子機情報を受信する。そして、図示しない蓄積部は、当該子機情報を、図示しない格納部に蓄積する。また、スマホＡ、スマホＣの車内受信部１２４は、カーナビと同様に、スマホＢから送信された子機情報を受信する。そして、スマホＡ、スマホＣの図示しない車内蓄積部は、当該子機情報を、車内格納部１２１に蓄積する。
【０１６６】
次に、スマホＢの車内出力部１２５は、車内受付部１２３が受け付けた操作に応じて、１枚の写真を出力する。当該写真は、出力情報である。また、当該出力の例は、例えば、図１０である。
【０１６７】
次に、スマホＢの車内受付部１２３は、車内出力部１２５による写真の出力が完了すると、送信指示を受け付ける。そして、車内送信部１２６は、当該送信指示の受け付けに応じて、車内出力部１２５が出力している写真を有するユーザ指示を、カーナビに送信する。また、車内送信部１２６は、当該送信指示の受け付けに応じて、車内出力部１２５が出力している写真を有する出力指示を、スマホＡ、スマホＣに送信する。
【０１６８】
次に、カーナビの受付部１１４は、写真を有するユーザ指示を受け付ける。当該受け付けは、通常、受信である。そして、出力部１１６は、当該写真を出力する。当該出力の例は、例えば、図１１である。
【０１６９】
また、スマホＡ、スマホＣの車内受信部１２４は、写真を有する出力指示を受信する。そして、スマホＡ、スマホＣの車内出力部１２５は、カーナビの出力部１１６と同様に、当該写真を出力する。スマホＡにおける当該出力の例は、例えば、図１２である。
【０１７０】
なお、図１０から図１２について、カーナビ、スマホＡ、スマホＢの画面解像度（画面サイズ）は、それぞれ異なるため、写真の表示サイズが、それぞれ、異なっている。
【０１７１】
また、例えば、カーナビの出力部１１６が、受付部１１４がユーザ指示を受け付けても、走行情報が走行条件を満たすまで、当該ユーザ指示に応じた出力情報を出力しない場合の例は、例えば、以下のとおりである。
【０１７２】
まず、受付部１１４は、カーナビの電源がＯＮになった直後から、定期的な走行情報の受け付けを開始する。当該受け付けは、通常、取得である。
【０１７３】
次に、上記と同様に、受付部１１４が、ユーザ指示であるＵＲＬを受け付けたとする。また、当該受け付けの直後に、受付部１１４が、走行情報「移動速度＝５０ｋｍ／ｈ」を受け付けたとする。当該走行情報は、移動速度情報である。すると、出力部１１６は、当該走行情報が、図６の走行条件のいずれも満たさないと判断する。
【０１７４】
次に、上記、出力部１１６による出力判断のあとに、受付部１１４が、走行情報「移動速度＝０ｋｍ／ｈ」を受け付けたとする。当該走行情報は、移動速度情報である。すると、出力部１１６は、当該走行情報が、図６の「ＩＤ＝０１１」の走行条件「移動速度≦５ｋｍ／ｈ」を満たすと判断する。そして、出力部１１６は、受付部１１４が受け付け済みであるＵＲＬにより識別されるＷｅｂページを出力する。
【０１７５】
（例２）
本例において、車載装置１１が親機であり、１以上の車内装置１２が子機である場合の例について説明する。なお、本例において、動作識別情報格納部１１２には、図１３に示す動作識別情報が格納されているものとする。当該動作識別情報には、レコードを一意に特定するためのＩＤが対応付いている。また、当該動作識別情報は、アイコン（アイコンのファイル名）である。また、車載装置１１が親機であり、１以上の車内装置１２が子機であること（車載装置１１から車内装置１２に、車載装置１１が出力している情報が送信されること）が、予め決められているものとする。
【０１７６】
まず、例１と同様に、ドライバー（運転者）と、３人のユーザが乗車しているとする。また、当該３人のユーザのうち、後部座席に乗車している２人のユーザは、それぞれ、スマホを保持している。当該２台のスマホを、以下、それぞれ、スマホＡ、スマホＢとする。
【０１７７】
次に、ドライバーが、自動車のエンジンをＯＮにしたとする。すると、カーナビの電源がＯＮになる。そして、自動検出部１１３は、カーナビと通信可能なスマホの自動検出を開始する。この結果、自動検出部１１３は、上記２台のスマホを、カーナビと通信可能にする。
【０１７８】
次に、助手席に乗車しているユーザが、カーナビに対し、カーナビが実行する機能を選択するための操作を行ったとする。すると、出力部１１６は、図１３の動作識別情報を出力する。当該出力の例は、例えば、図１４である。図１４において、アイコンのレイアウトは、例えば、予め決められている。
【０１７９】
次に、助手席に乗車しているユーザが、カーナビに対し、図１４の「クイズ」のアイコンをタッチしたとする。すると、実行部１１５は、クイズを出題するプログラム（ゲーム）を実行する。そして、当該実行の結果、出力部１１６は、出題するクイズのジャンルを選択する画面（以下、適宜、選択画面とする）を出力する。当該選択画面は、出力情報である。また、当該出力の例は、例えば、図１５である。
【０１８０】
次に、送信部１１７は、出力部１１６が出力中の選択画面を有する出力指示を、スマホＡ、スマホＢに送信する。
【０１８１】
次に、スマホＡ、スマホＢの車内受信部１２４は、選択画面を有する出力指示を受信する。そして、スマホＡ、スマホＢの車内出力部１２５は、当該選択画面を出力する。スマホＡにおける当該出力の例は、例えば、図１６である。図１６について、カーナビとスマホＡの画面解像度は、異なるため、選択画面の表示サイズが異なっている。
【０１８２】
なお、以降、例えば、実行部１１５による動作の実行に応じて出力部１１６が異なる画面（出力情報）を出力するたびに、送信部１１７は、スマホＡ、スマホＢに、出力部１１６が出力している画面を有する出力指示を送信する。
【０１８３】
（例３）
本例において、２以上の車内装置１２の中で親機と子機が自動的に変更される様子の例について説明する。
【０１８４】
まず、図１７に示すように、親機である車内装置１２において、情報「Ａ」が出力されたとする。当該情報の出力は、当該車内装置１２の車内出力部１２５が行う。すると、当該車内装置１２は、情報「Ａ」を、車載装置１１および親機以外の車内装置１２（子機である車内装置１２）に送信する。当該情報の送信は、当該車内装置１２の車内送信部１２６が行う。この結果、図１８に示すように、車載装置１１および子機である車内装置１２において、情報「Ａ」が出力される。
【０１８５】
次に、図１８の状態において、子機である車内装置１２のうちの１台の車内装置１２が最初に操作されたとする。そして、その結果、図１９に示すように、当該車内装置１２において、情報「Ｂ」が出力されたとする。すると、当該車内装置１２は、図１９に示すように、親機となる。また、図１７、図１８において親機であった車内装置１２は、子機となる。そして、親機になった車内装置１２は、情報「Ｂ」を、車載装置１１および親機になった車内装置１２以外の車内装置１２（子機である車内装置１２）に送信する。この結果、図２０に示すように、車載装置１１および子機である車内装置１２において、情報「Ｂ」が出力される。
【０１８６】
以上、本実施の形態による車内情報システム１によれば、車両に設置されている車載装置１１と、車両内の１または２以上の車内装置１２とを連携し、一の装置において出力されている情報と同一の情報を、他の装置において出力させることができる。言い換えると、車載装置１１は、例えば、車両の走行に関する情報またはユーザの指示に応じて、１または２以上の車内装置１２のうちのいずれかにおいて出力されている情報と同一の情報を出力することができる。また、車内装置１２は、例えば、車載装置１１または他の車内装置１２において出力されている情報と同一の情報を出力することができる。
【０１８７】
また、例えば、車載装置１１が子機であり、１または２以上の車内装置１２のうちのいずれかが親機である場合において、車載装置１１が、情報の出力に用いる情報を受け付けても、走行情報が走行条件を満たすまでは、情報を出力しないようにすることができる結果、例えば、車載装置１１のユーザ（ドライバー）の運転を阻害することなく、情報を出力することができる。また、これにより、ドライバーは、例えば、車両を停止させた場合など、運転を中断している間に、車載装置１１において出力されている情報を閲覧することができる。
【０１８８】
なお、本実施の形態において、車内装置１２は、例えば、車載装置１１と同様の構成であってもよい。つまり、車内装置１２は、例えば、車載装置１１が備える各部と同様の部を備えていてもよい。この場合、車内装置１２は、車載装置１１が備える部のうち、車内装置１２が備えていない部を備える。
【０１８９】
また、本実施の形態において、車内情報システム１は、例えば、２以上の車内装置１２から構成されてもよい。つまり、車内情報システム１は、例えば、車載装置１１を備えず、２以上の車内装置１２のみを備えていてもよい。この場合、走行条件および動作識別情報は、車内格納部１２１に格納される。
【０１９０】
また、上記実施の形態において、一の装置に存在する２以上の通信手段は、物理的に一の媒体で実現されてもよいことは言うまでもない。
【０１９１】
また、上記実施の形態における車載装置は、例えば、スタンドアロンの装置であってもよいし、サーバ・クライアントシステムにおけるサーバ装置であってもよい。
【０１９２】
また、上記実施の形態において、各処理または各機能は、単一の装置または単一のシステムによって集中処理されることによって実現されてもよいし、あるいは、複数の装置または複数のシステムによって分散処理されることによって実現されてもよい。
【０１９３】
また、上記実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１９４】
また、上記実施の形態における車載装置を実現するソフトウェアは、例えば、以下のようなプログラムである。つまり、このプログラムは、コンピュータを、車両の走行に関する情報である走行情報、または、ユーザ指示を受け付ける受付部、前記走行情報が、車両の走行に関する予め決められた条件である走行条件を満たす場合、または、前記受付部がユーザ指示を受け付けた場合に、前記１以上の車内装置のうちのいずれかにおいて出力されている情報と同一の情報を出力する出力部として機能させるためのプログラムである。
【０１９５】
また、上記実施の形態における車内装置を実現するソフトウェアは、例えば、以下のようなプログラムである。つまり、このプログラムは、出力する情報である出力情報と、当該出力情報を識別する情報である出力識別情報とが対応付いて格納される車内格納部にアクセス可能なコンピュータを、前記出力情報を出力する車内出力部、前記出力情報または前記出力識別情報を送信する指示である送信指示を受け付ける車内受付部、前記送信指示の受け付けに応じて、前記出力情報または前記出力識別情報を有するユーザ指示を前記車載装置に送信する車内送信部として機能させるためのプログラムである。
【０１９６】
なお、上記プログラムにおいて、上記プログラムが実現する機能には、ハードウェアでしか実現できない機能は含まれない。
【０１９７】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１９８】
また、上記プログラムを実行するコンピュータは、単数であってもよいし、複数であってもよい。つまり、集中処理を行ってもよいし、あるいは分散処理を行ってもよい。
【０１９９】
また、図２１は、前述のプログラムを実行して、前述の実施の形態の車載装置等を実現するコンピュータシステム９の概観図である。前述の実施の形態は、コンピュータハードウェア、およびその上で実行されるコンピュータプログラムで実現され得る。
【０２００】
図２１において、コンピュータシステム９は、ＣＤ−ＲＯＭドライブ９０１１を含むコンピュータ９０１と、キーボード９０２と、マウス９０３と、モニタ９０４とを備える。
【０２０１】
図２２は、コンピュータシステム９のブロック図である。図２２において、コンピュータ９０１は、ＣＤ−ＲＯＭドライブ９０１１に加えて、ＭＰＵ９０１３と、ブートアッププログラム等のプログラムを記憶するためのＲＯＭ９０１４と、ＭＰＵ９０１３に接続され、アプリケーションプログラムの命令を一時的に記憶するとともに一時記憶空間を提供するためのＲＡＭ９０１５と、アプリケーションプログラム、システムプログラム、およびデータを記憶するためのハードディスク９０１５と、ＣＤ−ＲＯＭドライブ９０１１、ＭＰＵ９０１２等を相互に接続するバス９０１６とを備える。ここでは図示しないが、コンピュータ９０１は、さらに、ＬＡＮへの接続を提供するネットワークカードを備えていてもよい。
【０２０２】
コンピュータシステム９に、前述の実施の形態の車載装置等の機能を実行させるプログラムは、ＣＤ−ＲＯＭ９１０１に記憶されて、ＣＤ−ＲＯＭドライブ９０１１に挿入され、さらにハードディスク９０１５に転送されてもよい。これに代えて、プログラムは、図示しないネットワークを介してコンピュータ９０１に送信され、ハードディスク９０１５に記憶されてもよい。プログラムは実行の際にＲＡＭ９０１４にロードされる。プログラムは、ＣＤ−ＲＯＭ９１０１またはネットワークから直接、ロードされてもよい。
【０２０３】
プログラムは、コンピュータ９０１に、前述の実施の形態の車載装置等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０２０４】
また、本発明は、以上の実施の形態に限定されることなく、種々の変更が可能であり、それらも本発明の範囲内に包含されるものであることは言うまでもない。
【産業上の利用可能性】
【０２０５】
以上のように、本発明にかかる車載装置は、車両の走行に関する情報またはユーザの指示に応じて、車内の複数の装置において同一の情報を出力することができるという効果を有し、カーナビゲーションシステム等として有用である。
【符号の説明】
【０２０６】
１  車内情報システム
１１  車載装置
１２  車内装置
１１１  走行条件格納部
１１２  動作識別情報格納部
１１３  自動検出部
１１４  受付部
１１５  実行部
１１６  出力部
１１７  送信部
１２１  車内格納部
１２２  車内検出部
１２３  車内受付部
１２４  車内受信部
１２５  車内出力部
１２６  車内送信部
【図１】
2016078735.tif 000003
【図２】
2016078735.tif 000004
【図３】
2016078735.tif 000005
【図４】
2016078735.tif 000006
【図５】
2016078735.tif 000007
【図６】
2016078735.tif 000008
【図１３】
2016078735.tif 000009
【図１４】
2016078735.tif 000010
【図１５】
2016078735.tif 000011
【図１６】
2016078735.tif 000012
【図１７】
2016078735.tif 000013
【図１８】
2016078735.tif 000014
【図１９】
2016078735.tif 000015
【図２０】
2016078735.tif 000016
【図２１】
2016078735.tif 000017
【図２２】
2016078735.tif 000018
【図７】
2016078735.tif 000019
【図８】
2016078735.tif 000020
【図９】
2016078735.tif 000021
【図１０】
2016078735.tif 000022
【図１１】
2016078735.tif 000023
【図１２】
2016078735.tif 000024